(57)【要約】【課題】  複数種類のカードを選択的に用いて、使用しようとするメモリーカードを、そのカードに合った受入口に的確に挿入する。【解決手段】  コネクタ本体の表面板に１個のカード挿入孔を設けるとともに、コネクタ本体の天井板から下方に向けて形成したスライド孔内にガイドレールを介して、筒体状のスライドスロットを上下にスライド自在に配置し、該スライドスロットの前面に複数のカード受入口を上下に平行して配列し、該スライドスロットの前面が一つの受入口だけを前記コネクタ表面板に設けたカード挿入口と合致させ、且つ前記スライドスロットの筒体内に、所定のカード受入口に対応するコネクタ端子を配置し、該コネクタ端子に結線されるＦＰＣコード又はばらケーブルをコネクタ本体のベース基板適所に配置したＦＰＣコネクタと結線する。【選択図】  図１
2007012513.tif 000002
【特許請求の範囲】
【請求項１】
コネクタ本体の表面板に１個のカード挿入孔を設けるとともに、コネクタ本体の天井板から下方に向けて形成したスライド孔内にガイドレールを介して、筒体状のスライドスロットを上下にスライド自在に配置し、該スライドスロットの前面に複数のカード受入口を上下に平行して配列し、該スライドスロットの前面が一つの受入口だけを前記コネクタ表面板に設けたカード挿入口と合致させ、且つ前記スライドスロットの筒体内に、所定のカード受入口に対応するコネクタ端子を配置し、該コネクタ端子に結線されるＦＰＣコード又はばらケーブルをコネクタ本体の基板適所に配置したＦＰＣコネクタと結線することを特徴とする、スライドスロット式メモリーカードコネクタ。
【請求項２】
前記スライドスロットの側面から側方及び前方にカード選択ノブを突出させ、該カード選択ノブの先端が、コネクタ本体の表面板に設けられ前記スライドスロットのスライド方向と平行して穿設されたカード選択スロットに挿通されていることを特徴とする，請求項１に記載のスライドスロット式メモリーカードコネクタ。
【請求項３】
前記カード選択スロットに、前記スライドスロットのカード受入口のレベルが、前記コネクタ本体の表面板のカード挿入孔のレベルと合致させるラッチ突起を設け、前記カード選択ノブを係合させることを特徴とする、請求項２に記載のスライドスロット式メモリーカードコネクタ。
【請求項４】
前記スライド孔のガイドレール面の適所に突起を設けるとともに、前記スライドスロット側面適所に窪みを設け、前記突起と窪みとの間で、前記スライドスロットがクリックスライド動作をすることを特徴とする、請求項１に記載のスライドスロット式メモリーカードコネクタ。
【発明の詳細な説明】
【技術分野】
【０００１】
この発明は、コンパクト・フラッシュ（ＣＦ）、ＭＳカード／ＭＳデュオカード（ＭＳ／ＭＳ  Ｄｕｏ）、ＳＤ・ＭＭＣカード（ＳＤ／ＭＭＣ  ＲＳ−ＭＭＣ）、ミニＳＤカード（Ｍｉｎｉ−ＳＤ×Ｄ）等一般に多用されている複数種類のメモリーカードを１個のコネクタで電子情報処理するカードコネクタにおいて、使用する一種類のカードを選択し、その端子をカードコネクタに挿入し電気的に接続して、電子情報を取出し又は蓄積するようにしたメモリーカードコネクタに関する。
【背景技術】
【０００２】
従来、このような複数種類のメモリーカードを一つのコネクタに接続し、電子情報処理する場合、夫々のカードの寸法に合わせた挿入口と接続端子を配置した表面板を、コネクタの前面又は側面に設けることが、通常行われている。例として、特開平１０−１６２９０６号公報に記載された多段カードコネクタ、特開２００４−２１３５０５号公報に記載されたカード用コネクタ装置等がある。
【特許文献１】特開平１０−１６２９０６号公報
【特許文献２】特開２００４−２１３５０５号公報
【発明の開示】
【発明が解決しようとする課題】
【０００３】
このように複数種類のメモリーカードを選択的に用いる場合、使用者にとって使用しようとするメモリーカードを、そのカードに合った挿入口に的確に挿入しなければならず、挿入口の選択に手間取ったり、所定の挿入口に形状の類似した別種類のカードを挿入しようとしてカード又は端子を損傷してしまうことがあった。また、このように複数のカード挿入口を有するコネクタでは、既に挿入済みのカードの存在を忘れて、別の挿入口に別のカードを挿入してコネクタに繋げた電子機器を起動させて、トラブルに陥るケースもあった。このような事故を未然に防止する為には、挿入口の数を少なく、出来れば1個にし、また使用者が意識して、挿入しようとするカードに適合した挿入端子を用意することが必要になる。
【課題を解決するための手段】
【０００４】
そこでこの発明では、コネクタ本体の表面板に１個のカード挿入孔を設けるとともに、コネクタ本体の天井板から下方に向けて形成したスライド孔内にガイドレールを介して、筒体状のスライドスロットを上下にスライド自在に配置し、該スライドスロットの前面に複数のカード受入口を上下に平行して配列し、該スライドスロットの前面が一つの受入口だけを前記コネクタ表面板に設けたカード挿入口と合致させ、且つ前記スライドスロットの筒体内に、所定のカード受入口に対応するコネクタ端子を配置し、該コネクタ端子に結線されるＦＰＣコード又はばらケーブルをコネクタ本体の基板適所に配置したＦＰＣコネクタと結線することを特徴とする。
【０００５】
スライドスロットの側面から側方及び前方にカード選択ノブを突出させ、該カード選択ノブの先端が、コネクタ本体の表面板に設けられ前記スライドスロットのスライド方向と平行して穿設されたカード選択スロットに挿通されている。使用者はこのカード選択ノブを指等で把握して上下にスライドさせて、所定のカード受入口をコネクタ本体の表面板上のカード挿入口と合致させることが出来る。また、カード選択スロットに、前記スライドスロットのカード受入口のレベルが、前記コネクタ本体の表面板のカード挿入孔のレベルと合致させるラッチ突起を設け、前記カード選択ノブを係合させるようにしているので、使用者が選択したカード受入口をカード挿入口と合致させた位置で、スライドスロットの上下動を停止させる。
【発明の効果】
【０００６】
この発明のコネクタは以上のように構成したので、コネクタ本体前面板に設けた単一のカード挿入孔に対して、スライドスロットのスライドにより、その側面に設けられた複数のカード受入口の内所定のカード受入口の内の１つだけが、コネクタ本体の表面板上のカード挿入口に合致することになり、使用者がカード受入口を誤って選択すること、また、従来の複数のカード挿入口を持ったコネクタで、１つのカードの挿入を忘れて他のカードを使用しようとして起こる種々のトラブルは、未然に防止される。またこのような上下動するスライドスロットを用いるので、コネクタの横幅と奥行きが節減される。
【実施例】
【０００７】
図１はこの発明の一実施例である、スライドスロット式メモリーカードコネクタを示す。スライドスロットは、コネクタ本体から上方に展開して示してある。コネクタ本体１の表面板２に１個のカード挿入孔３を設けるとともに、コネクタ本体１の天井板４から下方に向けて形成したスライド孔５内にガイドレール６を介して、筒体状のスライドスロット７を上下にスライド自在に配置し、このスライドスロット７の前面８に複数のカード受入口９，９’、９”・・を上下に平行して配列し、このスライドスロット７の前面板８が一つの受入口９だけをコネクタ本体の表面板２に設けたカード挿入口３と合致するようにし、且つ前記スライドスロット７の筒体内に、所定のカード受入口に対応するコネクタ端子１０、１０’、１０”・・を配置し、該コネクタ端子に結線されるＦＰＣコード又はばらケーブル１１をコネクタ本体の基板適所に配置したＦＰＣコネクタ１２と結線する。
【０００８】
スライドスロット７は、側面から側方及び前方にカード選択ノブ１３を突出させ、このカード選択ノブ１３の先端が、コネクタ本体１の表面板２に設けられ、スライドスロット７のスライド方向と平行して穿設されたカード選択スロット１４に挿通されている。使用者はこのカード選択ノブ１３を指等で把握して上下にスライドさせて、所定のカード受入口をコネクタ本体の表面板上のカード挿入口と合致させることが出来る。また、カード選択スロット１４に、スライドスロット７の夫々のカード受入口９のレベルが、前記コネクタ本体１の表面板２のカード挿入孔３のレベルと合致させるラッチ突起１５を設け、前記カード選択ノブ１３をこのラッチ突起１５に適宜係合させるようにしているので、使用者が選択したカード受入口をカード挿入口と合致させた位置で、スライドスロットの上下動を停止させることが出来る。
【０００９】
図２に、この発明の他の実施例を示す。この実施例では、スライド孔のガイドレール６の表面適所に突起１６を設けるとともに、スライドスロット７の側面適所に窪み１７を設け、前記突起と窪みとの間で、前記スライドスロットがクリックスライド動作をするようにしており、使用者がより簡便に、選択したカード受入口をカード挿入口と合致させた位置で、スライドスロットの上下動を停止させるようにしている。この場合、スライドスロット７の天井面１８に、スライドスロットを手動で上下動させる把手１９を設けるとともに、スライドスロット底面とスライド孔底面との間に付勢ばね２０を設けて、スライドスロット７の持ち上げ及び位置決めを容易にすることができる。
【図面の簡単な説明】
【００１０】
【図１】この発明の一実施例である、スライドスロット式メモリーカードコネクタを、一部展開した見取り図である。
【図２】この発明のスライドスロット式メモリーカードコネクタの他の実施例を、一部展開した見取り図である。
【符号の説明】
【００１１】
１    コネクタ本体
２    表面板
３    カード挿入孔
４    天井板
５    スライド孔
６    ガイドレール
７    スライドスロット７
８    前面
９，９’、９”    カード受入口
１０、１０’、１０”    コネクタ端子
１１  ＦＰＣコード又はばらケーブル
１２  ＦＰＣコネクタ
１３  カード選択ノブ
１４  カード選択スロット
１５  ラッチ突起１５
１６  突起
１７  窪み
１８  天井面
１９  把手
２０  付勢ばね
【図１】
2007012513.tif 000003
【図２】
2007012513.tif 000004